(57)【特許請求の範囲】
【請求項１】
両側に溝部が形成されることによりこれら両側の溝部の間に直線状に延在する壁部が形成されるとともに、
該壁部には、コイン形電池の円形状の外周面を嵌合させる収納凹部が、前記壁部の延在方向に沿って複数形成されており、
該収納凹部は、前記両側の溝部に向け開口するとともに、その底となりコイン形電池が載置される台座が前記両側の溝部の底面よりも突出していることを特徴とするコイン形電池収納用トレー。
【請求項２】
前記台座の前記両側の溝部側は、Ｒ面取り形状をなすことを特徴とする請求項１記載のコイン形電池収納用トレー。
【請求項３】
前記壁部の前記両側の溝部間の幅は、前記台座の前記両側の溝部間の幅よりも大きくされていることを特徴とする請求項１または２記載のコイン形電池収納用トレー。
【発明の詳細な説明】
【０００１】
【発明の属する技術分野】
本発明は、コイン形電池の取り出しが容易なコイン形電池収納用トレーに関する。
【０００２】
【従来の技術】
従来のコイン形電池収納用トレーは、図８に示すように、直線状に延在する溝部１００に所定のピッチでコイン形電池を収納する収納凹部１０１が形成された形状をなしており、以下のようにして、コイン形電池を取り出している。
▲１▼機械（エアーノズルなど）でコイン形電池を吸着して取り出す。
▲２▼磁石などの付いた工具でコイン形電池を吸着して取り出す。
▲３▼絶縁したピンセットなどでコイン形電池を挟んで取り出す。
▲４▼素手でコイン形電池に付いている端子を掴んで取り出す。
【０００３】
【発明が解決しようとする課題】
上記のように従来のコイン形電池収納用トレーにおいては、コイン形電池に端子がついていない場合には、道具を用いないとコイン形電池を取り出しにくく、素手で掴む場合は端子を摘める場合を除き困難であった。
【０００４】
一方、最近では、コイン形電池は、ホルダーを用いての実装とし端子がない仕様で取り扱われることが多く、素手で摘む場所が無くなってしまい、このような点から素手での取り出しは困難となっている。
【０００５】
したがって、本発明は、端子のないコイン形電池でも素手で容易に掴むことができて取り出しが容易なコイン形電池収納用トレーの提供を目的としている。
【０００６】
【課題を解決するための手段】
上記目的を達成するため、本発明の請求項１記載のコイン形電池収納用トレーは、両側に溝部が形成されることによりこれら両側の溝部の間に直線状に延在する壁部が形成されるとともに、該壁部には、コイン形電池の円形状の外周面を嵌合させる収納凹部が、前記壁部の延在方向に沿って複数形成されており、該収納凹部は、前記両側の溝部に向け開口するとともに、その底となりコイン形電池が載置される台座が前記両側の溝部の底面よりも突出していることを特徴としている。
【０００７】
このように、収納凹部が、両側の溝部に向け開口するとともに、その底となりコイン形電池が載置される台座が両側の溝部の底面よりも突出しているため、壁部の両側の溝部に指を入れると、台座で溝部の底面より上側に位置するコイン形電池の、収納凹部の両側の溝部に開口する部分から突出する両側部分を掴んで引き抜くことにより、収納凹部からコイン形電池を容易に取り出すことができる。あるいは、コイン形電池の一側を溝部の方向に押すと、台座を支点にしてコイン形電池の他側を浮かせることになる。そして、この状態でコイン形電池の表裏両側を掴んで引き抜くことにより、収納凹部からコイン形電池を容易に取り出すことができる。
したがって、端子のないコイン形電池でも素手で容易に掴むことができて取り出しが容易となる。
【０００８】
本発明の請求項２記載のコイン形電池収納用トレーは、請求項１記載のものに関し、前記台座の前記両側の溝部側は、Ｒ面取り形状をなすことを特徴としている。
【０００９】
このように、台座の両側の溝部側がＲ面取り形状をなしているため、コイン形電池の一側を溝部の方向に押して、台座を支点にしてコイン形電池の他側を浮かせる姿勢とする際に、コイン形電池の姿勢変更が容易かつ円滑にできる。
【００１０】
本発明の請求項３記載のコイン形電池収納用トレーは、請求項１または２記載のものに関し、前記壁部の前記両側の溝部間の幅は、前記台座の前記両側の溝部間の幅よりも大きくされていることを特徴としている。
【００１１】
このように、壁部の両側の溝部間の幅が、台座の両側の溝部間の幅よりも大きくされているため、台座の両側の溝部間の幅をコイン形電池の取り出しを容易にするため小さくしても、壁部に形成される収納凹部の幅を大きくすることができ、コイン形電池を確実に保持することができる。
【００１２】
【発明の実施の形態】
本発明の一実施形態に係るコイン形電池収納用トレーを図１〜図７を参照して以下に説明する。
【００１３】
この実施形態に係るコイン形電池収納用トレー１０で収納されるコイン形電池１１は、図２に示すように、缶ケース（正極）１２とキャップ（負極）１３とガスケット１４とを有している。
【００１４】
この実施形態に係るコイン形電池収納用トレー１０は、合成樹脂で作成された無蓋なもので、図１に示すように、両側に溝部１６が形成されることによりこれら両側の溝部１６の間に直線状に延在する壁部１７が形成されており、このような壁部１７が壁部１７の延在方向に直交する方向に複数、互いに平行をなすようにして形成されている。
【００１５】
壁部１７には、コイン形電池１１の缶ケース１２の円形状の外周面を嵌合させる収納凹部１９が、壁部１７の延在方向に沿って複数形成されている。各収納凹部１９は、両側の溝部１６に向け開口している。その結果、収納凹部１９は、コイン形電池１１を固定するための円弧状のＲ壁２０が互いに対向するように配置されている。そして、収納凹部１９の底となりコイン形電池１１がキャップ１３において載置される台座２１は、両側の溝部１６の底面２２よりも上側に突出している。ここで、台座２１の両脇にある溝部１６以外の面にはコイン形電池１１を固定する上記したＲ壁２０が台座２１毎に２個ずつあることになり、これによりコイン形電池１１のズレを防止している。
【００１６】
台座２１の上面の両側の溝部１６間の幅は、コイン形電池１１の台座２１に接触するキャップ１３の面の幅より小さくされている。また、台座２１の両溝部１６側は、Ｒ部２４を有するＲ面取り形状をなしている。
【００１７】
さらに、壁部１７の両側の溝部１６間の幅は、台座２１の両側の溝部１６間の幅よりも大きくされており、その結果、壁部１７に形成された収納凹部１９の両側の溝部１６間の幅が、台座２１の両側の溝部１６間の幅よりも大きくされている。
【００１８】
ここで、台座２１の裏面側の両脇には、コイン形電池収納用トレー１０を積み重ねて使用する時に下のトレー１０のコイン形電池１１を押さえる結果、輸送時にトレー１０からコイン形電池１１が脱落することを防止する押さえ部２５が形成されている。
【００１９】
この実施形態に係るコイン形電池収納用トレー１１によれば、その台座２１の上に置かれＲ壁２０にて固定されているコイン形電池１１を取り出す際には、指先を台座２１を挟んでいる両側の溝部１６に差し込み、台座２１で溝部１６の底面２２より上側に位置するコイン形電池１１の、収納凹部１９の両側の溝部１６に開口する部分から突出する両側部分を掴んで引き抜くことにより、収納凹部１９からコイン形電池１１を容易に取り出すことができる（図３）。
【００２０】
あるいは、この方法で摘みづらい場合は、Ｒ部２４を利用し、コイン形電池１１の溝部１６側を溝部１６の方向に押し下げると、台座２１を支点にしてコイン形電池１１の他側が持ち上がり、コイン形電池１１の溝部１６側を少し浮かせることになる。そして、この状態でコイン形電池１１の表裏両側を掴んで引き抜くことにより、収納凹部１９からコイン形電池１１を容易に取り出すことができる（図４）。
【００２１】
したがって、端子のないコイン形電池１１でも素手で容易に掴むことができて取り出しが容易となって、従来のトレーと比較して素手での取り出し易さが格段に向上する。
【００２２】
また、従来取り出しに用いていた機械により吸着したり、或いは、磁石により引き付けたり、道具で挟んだり、端子を摘んだりする場合も従来同様の取り出し易さを確保できる。なぜなら、今回の発明のトレー形状が無蓋であり、コイン形電池のコイン形電池収納用トレー１１への実装を決めている部分に大きな変更が無いことによる。
【００２３】
加えて、台座２１の両溝部１６側がＲ面取り形状をなしているため、上記のように、コイン形電池１１の一側を溝部１６の方向に押して、台座２１を支点にしてコイン形電池１１の他側を浮かせる姿勢とする際に、コイン形電池１１の姿勢変更が容易かつ円滑にできる。
【００２４】
さらに、壁部１７の両側の溝部１６間の幅が、台座２１の両側の溝部１６間の幅よりも大きくされているため、台座２１の両側の溝部１６間の幅をコイン形電池１１の取り出しを容易にするため小さくしても、壁部１７に形成される収納凹部１９の幅を大きくすることができ、コイン形電池１１を確実に保持することができる。
【００２５】
ここで、コイン形電池１１は、実装方法により図５の様に正極端子２７及び負極端子２８を有している端子付きコイン形電池１１となる場合がある。この端子形状は用途により様々な形状をする。
【００２６】
このような端子付きコイン形電池１１の取り出しに関しても図６に示すようにトレー１０の溝部１６に端子２７，２８を揃えることにより従来の様な端子２７，２８を摘む方法で取り出せる。また、端子付きコイン形電池１１の側面と端子２７，２８を摘むことにより、端子付きコイン形電池１１を台座２１のＲ部２４を利用して傾けても取り出せる。図７に示すように、端子２８が溝部１６に入れられない場合もトレー１０に端子逃げ３０を設ける事により端子付きコイン形電池１１の側面を摘む事ができるため取り出すことができる。この場合も、従来用いていた機械で吸着により取り出す方法、磁石等で引き付けて取り出す方法、絶縁されたピンセット等で取り出す方法、などの従来仕様のトレーで行えた取り出し方法を用いて取り出すことができる。
【００２７】
【発明の効果】
以上詳述したように、本発明の請求項１記載のコイン形電池収納用トレーによれば、収納凹部が、両側の溝部に向け開口するとともに、その底となりコイン形電池が載置される台座が両側の溝部の底面よりも突出しているため、壁部の両側の溝部に指を入れると、台座で溝部の底面より上側に位置するコイン形電池の、収納凹部の両側の溝部に開口する部分から突出する両側部分を掴んで引き抜くことにより、収納凹部からコイン形電池を容易に取り出すことができる。あるいは、コイン形電池の一側を溝部の方向に押すと、台座を支点にしてコイン形電池の他側を浮かせることになる。そして、この状態でコイン形電池の表裏両側を掴んで引き抜くことにより、収納凹部からコイン形電池を容易に取り出すことができる。
【００２８】
したがって、端子のないコイン形電池でも素手で容易に掴むことができて取り出しが容易となる。
【００２９】
本発明の請求項２記載のコイン形電池収納用トレーによれば、台座の両側の溝部側がＲ面取り形状をなしているため、コイン形電池の一側を溝部の方向に押して、台座を支点にしてコイン形電池の他側を浮かせる姿勢とする際に、コイン形電池の姿勢変更が容易かつ円滑にできる。
【００３０】
本発明の請求項３記載のコイン形電池収納用トレーによれば、壁部の両側の溝部間の幅が、台座の両側の溝部間の幅よりも大きくされているため、台座の両側の溝部間の幅をコイン形電池の取り出しを容易にするため小さくしても、壁部に形成される収納凹部の幅を大きくすることができ、コイン形電池を確実に保持することができる。
【図面の簡単な説明】
【図１】本発明の一実施形態に係るコイン形電池収納用トレーを示すもので、（ａ）は平面図、（ｂ）は（ａ）におけるＡ−Ａ線に沿う断面図である。
【図２】本発明の一実施形態に係るコイン形電池収納用トレーに収納されるコイン形電池を示すもので、（ａ）は平面図、（ｂ）は側面図である。
【図３】本発明の一実施形態に係るコイン形電池収納用トレーにおいてコイン形電池を取り出す一例を示す図１（ａ）におけるＡ−Ａ線に沿う断面図である。
【図４】本発明の一実施形態に係るコイン形電池収納用トレーにおいてコイン形電池を取り出す別例を示す図１（ａ）におけるＡ−Ａ線に沿う断面図である。
【図５】本発明の一実施形態に係るコイン形電池収納用トレーに収納される端子付きコイン形電池を示すもので、（ａ）は平面図、（ｂ）は側面図である。
【図６】本発明の一実施形態に係るコイン形電池収納用トレーにおいて端子付きコイン形電池を収納した状態を示すもので、（ａ）は平面図、（ｂ）は（ａ）におけるＢ−Ｂ線に沿う断面図である。
【図７】本発明の一実施形態に係るコイン形電池収納用トレーの別例において端子付きコイン形電池を収納した状態を示すもので、（ａ）は平面図、（ｂ）は（ａ）におけるＣ−Ｃ線に沿う断面図である。
【図８】従来のコイン形電池収納用トレーを示すもので、（ａ）は平面図、（ｂ）は（ａ）におけるＤ−Ｄ線に沿う断面図である。
【符号の説明】
１０  コイン形電池収納用トレー
１１  コイン形電池
１６  溝部
１７  壁部
１９  収納凹部
２１  台座
２２  底面
２４  Ｒ部
【図１】
0003616552.tif 000002
【図２】
0003616552.tif 000003
【図３】
0003616552.tif 000004
【図４】
0003616552.tif 000005
【図５】
0003616552.tif 000006
【図６】
0003616552.tif 000007
【図７】
0003616552.tif 000008
【図８】
0003616552.tif 000009